(57)【要約】【課題】小規模の会社や個人でも大規模な会社が利用している構内交換機の機能を実現させることを可能にする。【解決手段】公衆電話会社が提供する転送サービスを利用して転送元Ｘ、Ｙ・・・から交換機に電話が転送されてきたとき、当該電話の着信信号に含まれる転送元情報と発信元情報によりパソコンのテーブルを検索して、取得した再転送先に、当該着信信号を再転送する。センターのパソコンは、サーバとしての機能を備え、利用者の端末ｘ、ｙ・・・に、当該利用者のテーブルとその編集手段とを公開する。利用者Ｘ、Ｙ・・・は、端末ｘ、ｙ・・・から、登録内容の変更、代表的には再転送先の新規登録や変更を行うことができる。テーブルに再転送先が登録されていないときは、パソコンは、再転送先として転送元を指定する。【選択図】図１
2011035443.tif 000002
【特許請求の範囲】
【請求項１】
着信信号を公衆電話回線に転送可能な交換機と当該交換機の制御情報を登録するパソコンとを設置し、パソコンには、前記交換機に転送されてきた着信信号に含まれる転送元番号毎に当該着信信号に含まれる発信元番号と再転送先番号とを対応付けて記憶するテーブルと、当該テーブルの編集手段とを登録して、当該パソコンをインターネットに接続し、利用者に利用者の電話番号を転送元番号として登録させ、インターネットに接続された当該利用者の端末に前記テーブルと編集手段とを開示して、当該テーブルに複数の発信元の電話番号毎にその再転送先電話番号を登録させ、前記交換機に転送されてきた電話を、当該電話の着信信号に含まれる転送元番号と発信元番号により前記テーブルを検索して取得した再転送先に、再転送する、電話転送方法。
【請求項２】
着信信号を公衆電話回線に転送可能な交換機と当該交換機及びインターネットに接続されたパソコンとを備え、前記交換機は、当該交換機に転送されてきた着信信号に含まれる転送元番号と発信元番号とを前記パソコンに通知する番号送信手段と、当該パソコンから指示された再転送先に着信信号を転送する外線転送手段とを備え、前記パソコンは、前記交換機の制御手段と、前記転送元番号毎に前記発信元番号と再転送先番号とを対応付けて記憶するテーブルと、当該テーブルの編集手段と、当該テーブル及び編集手段をインターネットを介して公開する表示・登録手段と、前記テーブルから取得した前記再転送番号を前記交換機に指示する再転送指令手段を備えている、電話転送システム。
【請求項３】
前記テーブルは、一の発信元番号と複数の再転送先番号と当該複数の再転送先番号への再転送条件を記録する項目を含んでおり、前記パソコンの再転送指令手段は、登録された再転送条件が満足されたときに当該再転送条件と関連づけて前記テーブルに登録された再転送先番号を交換機に指令する、請求項２記載の電話転送システム。
【請求項４】
前記パソコンは、各利用者の電話機毎に当該電話機を転送元とする電話の着信日時、発信元、再転送先を記録した通信ログの記録手段と、記録した通信ログをその転送元の電話を所有する利用者の端末に表示する手段を備えている、請求項２又は３記載の電話転送システム。
【発明の詳細な説明】
【技術分野】
【０００１】
この発明は、外線間での電話転送システム及び方法に関するもので、システム利用者宛の電話をセンターで受けて宛先の電話に転送すると共に、利用者は、インターネットを通じてセンターのデーターベースにアクセスして転送先電話番号や転送ルールを変更可能にしたシステム及び方法に関するものである。
【背景技術】
【０００２】
大規模な会社で利用されている構内交換機（ＰＢＸ）の機能として、発信者Ａが会社Ｘ社の代表電話に電話をかけた場合の機能として、
（１）Ａからの電話を保留にして、担当者を呼び出し（内線、外線どちらでも）、当該担当者の電話に繋ぐことができる
（２）Ａの情報をパソコンの画面で見ることができる
（３）用件や、顧客情報をパソコンの画面に入力して保存することができる
（４）複数の担当者の呼び出しが同時にできる（内線、外線とも）
（５）Ａが登録されていない相手である場合など、登録されている複数の応答メッセージの一つをパソコンが自動的に選択してＡに応答することができる
等の、利用者に便利な種々の機能が備えられている。
【０００３】
このような構内交換機に関し、例えば、特許文献１には、着信回線情報や発信元関連情報等を記憶する記憶回路を設け、発信元電話番号情報に対応付けた転送先情報を予め記憶回路に格納し、着信したときに得られる発信元番号に基づきデータ検索して該当する転送先を表示すると共に転送処理する通信装置が提案されており、予め記憶されている転送先情報を、実際の業務形態の変化等に基づいて修正し、最新の状態での転送制御を行う技術が提案されている。
【０００４】
また特許文献２には、発信元番号とその転送先とをＩＰ電話機の着信番号ごとに対応付けた発番号登録テーブルをＰＢＸ装置のデータベースに予め記憶し、着信呼が生じたときにその着信呼に含まれる発信元番号に基づいて発番号登録テーブルを検索し、転送先が検出された場合にのみ転送先に着信呼を転送し、転送先が検出されない場合には通常の着信処理を行う技術が提案されている。
【先行技術文献】
【特許文献】
【０００５】
【特許文献１】特開２００４−１７２６５６号公報
【特許文献２】特開２００７−２５８９５０号公報
【発明の概要】
【発明が解決しようとする課題】
【０００６】
しかし、上記のような機能を備えた構内交換機ないし電話交換システムは、設備コスト及びランニングコストが高く、小規模の会社や個人では利用することができない。
【０００７】
この発明は、小規模の会社や個人でも大規模な会社が利用している構内交換機の機能を実現させることを可能にすることを課題としており、更に、複数の同時呼び出し、インターネットの画面から転送先の設定、同じシステムの利用者間での転送による顧客情報の共有などの機能を備えることにより、小規模の会社や個人が電話をより便利に利用できるようにすることを課題としている。
【課題を解決するための手段】
【０００８】
この発明の電話転送システムは、電話回線相互の接続や遮断を行う交換機２と、登録された制御情報に基づいて当該交換機２を制御するパソコン３とを備えている。交換機２は、着信を公衆電話回線を経由して当該公衆電話回線に接続されている他の電話（外線電話）に転送可能な公知の構内交換機である。パソコン３は、交換機２を制御する制御機能と、交換機２に対する制御情報をこの発明のシステムを利用する利用者（転送元電話の使用者。以下、「利用者」という。）のパソコン端末ｘ、ｙ・・・にインターネット４を介して一部書換え可能に公開するサーバー機能とを備えている。
【０００９】
パソコン３には、交換機２に転送されてきた着信信号に含まれる転送元情報及び発信元情報と再転送先番号とを対応付けて記憶するテーブル５２を備えている。パソコン３には、また、当該テーブル５２の編集手段３３が登録されている。交換機２は、着信信号があったときに当該着信信号に含まれる転送元情報と発信元情報とをパソコン３に送信する番号送信手段２２と、パソコン３が指定した再転送先に着信信号を転送する外線転送手段２３を備えている。
【００１０】
パソコン３は、交換機２から転送元情報と発信元情報とを受信したときに、当該転送元情報に属するテーブル５２を発信元情報で検索し、検索が成功したときに当該発信元情報に対応付けられている再転送先情報を交換機２に送信する再転送指令手段３２を備えている。
【００１１】
公衆電話会社が提供する転送サービスを利用して転送元Ｘ、Ｙ・・・から交換機２に電話が転送されてきたとき、当該電話の着信信号に含まれる転送元情報と発信元情報によりパソコン３のテーブル５２を検索して、取得した再転送先に、当該着信信号が再転送される。
【００１２】
センター１のパソコン３は、サーバとしての機能を備え、利用者情報を登録した利用者の端末ｘ、ｙ・・・に、当該利用者のテーブル５２とその編集手段３３とをインターネット４を介して公開する表示・登録手段３４を備えている。利用者Ｘ、Ｙ・・・は、端末ｘ、ｙ・・・から、インターネット４を介して、パソコン３にアクセスし、公開された編集手段３３により、当該利用者に属するテーブル５２の登録内容の変更、代表的には再転送先の新規登録や変更を行うことができる。各利用者は、その利用者のテーブル５２の登録内容を変更することにより、再転送先を適時、登録、変更、削除ができる。パソコン３が再転送先を取得できなかったとき、すなわち、テーブル５２に再転送先が登録されていないときは、パソコン３は、再転送先として転送元を指定する。交換機２は、当該電話を転送元に再転送する。
【００１３】
転送元情報で抽出される各テーブルは、一の発信元情報に対応する複数の再転送先番号と当該複数の再転送先番号への再転送条件を記録する項目を含ませるのが好ましい。この場合、再転送する際の条件も登録可能とし、転送を受けた際に、当該条件に基づいて、１ないし複数の再転送先に再転送を行う。
【００１４】
例えば、テーブル５２の各レコードに再転送先を登録する複数の再転送先フィールドと、各再転送先フィールド毎の再転送条件を登録する再転送条件フィールドとを用意し、転送制御手段には、発信元情報により検索されたレコードの上記フィールドに登録された情報に従って再転送先の電話番号を交換機２に指示する再転送指令手段３２を登録しておく。これにより、複数の再転送先の電話を同時に呼出したり、時間間隔をおいて呼出したりすることができる。交換機２は、いずれかの電話が取上げられたら、他の再転送先への回線を遮断する。
【００１５】
更に、通話中の電話機からの特定の信号を監視し、当該信号を受信したときに、次位の、又はその特定の信号で指定された再転先に再転送を行うようにすることもできる。例えば、通話中の電話機から０発信を受けたとき、交換機２がこれをパソコン３に送信し、パソコン３は、その信号を受けてその条件に合った再転送番号を交換機２に指示する等である。このような制御は、例えば上記の再転送条件フィールドの内容により、設定できる。
【００１６】
センターのパソコン３には、テーブル５２に登録された各利用者の電話機毎に、当該電話機を転送元とする電話の着信日時、発信元、再転送先を記録した通信ログの記録手段と、当該通信ログの各利用者への公開及び編集手段とを備えさせることができる。利用者は、この通信ログを発信元情報を基に検索して表示することにより、当該発信元との電話履歴を利用者端末ｘ、ｙ・・・で見ることができる。
【００１７】
利用者Ｘは、公衆電話会社の転送サービスを利用して、Ｘ宛の電話をセンターの交換機２に転送させるようにする。発信者Ａが利用者Ｘに電話をかけると、その電話は、センター１に転送される。センターは、転送されてきた電話がＸ宛のものであることが転送元番号から判断できるので、通常は、Ｘ宛に当該電話を転送する。Ａは転送されていることを意識することなくＸと会話することができる。
【００１８】
発信者Ａの電話番号と利用者Ｘの電話番号は、転送された電話を受信した時点で、センターが認識できるから、センターは、電話を受けたとき、ＡとＸの電話番号をパソコン３に送る。Ａの情報がセンターの利用者Ｘのテーブルに登録されていれば、パソコン３は、転送元と発信者毎に登録された転送先を検索して、交換機２に転送先を指示する。交換機は、指示された転送先に電話を転送する。
【００１９】
また、利用者Ｘは、インターネットの通常のブラウザ上で利用者ＸのＩＤでログインし、利用者Ｘの端末ｘの画面（待ち受け画面）にＡの情報や電話の履歴などを表示することができる。また、電話が終わった後で、電話の用件なども、履歴情報として、待ち受け画面から通信ログに入力することができる。
【００２０】
テーブルに複数の転送先を登録しておくことにより、電話回線が一回線しかない会社でも、Ａの電話を複数箇所で同時に呼び出し、そのどこかが対応するという、規模の大きな構内交換機でしかできなかったことができるようになる。
【００２１】
利用者Ｘは、インターネット４を利用して、端末ｘからテーブル５２の再転送先を変更することができる。例えば、長期留守にする場合など、センターからの再転送先を自分の携帯電話にしておくことができる。また、テーブルに発信元毎に異なる再転送先を登録しておくことにより、Ｘが会社で複数の営業担当者（以下、「営業」という。）がいる場合など、利用者Ｘ宛の電話を発信元毎に担当営業Ｉの携帯電話に転送することが可能である。更に、テーブルにＸとその営業Ｉの携帯電話の両方を登録しておくことにより、発信者Ａから電話が掛ったとき、Ｘの電話と営業Ｉの携帯電話を同時に呼び出すことができ、その一方が電話を取ったときに、他方の電話の呼び出しは中止し、発信者Ａと当該一方の電話との通話を開始することができる。
【発明の効果】
【００２２】
この発明により、電話が掛ったときに、発信者の情報や電話の履歴を利用者端末ｘ、ｙ・・・で即時に見ることができる。また、利用者は、利用者端末ｘ、ｙ・・・の待ち受け画面上で、登録された転送のオンオフ、転送先の指定、用件の入力などが可能で、ログインするパスワードを知っていれば、会社にいなくても自宅や出張先からでき、転送の変更や履歴情報の入力ができる。
【００２３】
また、発信元の電話を複数の回線に同時に転送でき、パソコンに設定する呼出順や呼出しタイミングにより、時間差をつけて呼び出すこともできる。
【００２４】
この発明の電話転送システムは、パソコンで交換機の転送制御を行っているので、パソコンに各種のアナウンス、ガイダンス、各種の転送手続を登録し、それをインターネットを介して利用者端末ｘ、ｙ・・・から変更や選択ができるようにすることにより、各利用者が発信者毎に、転送先を初めとする自動アナウンスの送信や複数転送、時間差を設けた複数転送など、大規模の構内交換機が有すると同様な機能を１回線しか持たない小規模の会社や個人事業者などにも提供することができるという効果がある。
【図面の簡単な説明】
【００２５】
【図１】この発明の電話転送システムのブロック図
【図２】テーブルの登録画面の例を示す図
【図３】転送動作の第１例を示す流れ図
【図４】転送動作の第２例を示す流れ図
【発明を実施するための形態】
【００２６】
以下、図面を参照して、この発明の実施例を説明する。図１は、この発明の電話転送システムの一例を示すブロック図で、１はセンター、Ｘ、Ｙ・・・はシステムの利用者（発信呼をセンターへ転送する電話機の持主）、Ａ、Ｂ・・・は利用者の電話に電話をかけてくる発信者（以下、「顧客」とも言う。）である。センター１には、交換機２とパソコン３とが設置される。交換機２は、外線への転送機能を備えかつパソコン制御可能な従来構造の構内交換機である。パソコン（以下、「ＰＣ」という。）３は、交換機２の制御機能とインターネット４を介して利用者の端末ｘ、ｙ・・・に各利用者毎のテーブル５２を開示し、登録内容の変更を受け付けるサーバー機能とを備えたものである。
【００２７】
交換機２は、電話の着信信号を受けたときに、当該着信信号に含まれる転送元番号と発信元番号とを取得する番号取得手段２１と、ＰＣ３に取得した転送元番号と発信元番号とを送信する番号送信手段２２と、ＰＣ３が指定した再転送先に着信信号を転送する外線転送手段２３とを備えている。
【００２８】
ＰＣ３は、利用者データベース５を備えている。利用者データベース５には、各利用者Ｘ、Ｙ・・・毎に、利用者情報５１と、テーブル５２と、通信ログ５３の記憶領域を備えている。利用者情報５１には、利用者名、転送元電話番号（利用者の電話番号）、再転送先番号と再転送先のリストなどが含まれる。テーブル５２は、各利用者が登録した発信元番号を検索キーとして、発信元の詳細情報、複数の再転送先名、再転送先番号、再転送条件の登録フィールドなどを備えている。
【００２９】
ＰＣ３は、更に、交換機２から転送元番号と発信元番号とを受信したときに、当該転送元に属するテーブル５２を発信元番号で検索するテーブル検索手段３１と、検索が成功したときに検索されたレコードに登録されている再転送条件に従ったタイミングで当該条件に対応する再転送先番号を交換機２に送信する再転送指令手段３２を備えている。再転送指令手段３２には、発信元番号によるテーブル５２の検索が失敗したとき、再転送先番号として、受取った転送元番号を直ちに交換機２に送信する未登録電話転送手段が含まれている。
【００３０】
ＰＣ３は、更にまた、各利用者の端末ｘ、ｙ・・・にインターネット４を介して、当該利用者のテーブル５２及び通信ログ５３を公開し、それらの編集手段（クライアント側プログラム）３３を利用可能にする表示・登録手段３４を備えている。
【００３１】
交換機２は、上記の手段の他、交換機の基本的な機能を実現するための、着信信号検出手段、着信信号取得手段、ガイダンスないしアナウンス回線に流す自動応答手段、指定された番号に電話をかける発信手段、相手が電話を取ったことを検知する応答検出手段、回線同士を繋げ及び遮断する回線接続手段などを備えている。
【００３２】
ＰＣ３は、上記の手段の他、ＰＣの基本的な機能を実現するための、データベース管理手段、公開ページの作成手段などを備えている。
【００３３】
図２は、利用者端末ｘ、ｙ・・・に開示するテーブルの登録画面７の例を示した図である。顧客表示エリア７１には、現在登録されている顧客名とその電話番号（発信元番号）がリスト表示されている。日時欄には、各顧客の登録日が表示されている。顧客名やその電話番号の変更や新規登録は、このエリアで行われる。詳細をクリックすることにより、画面が切替えられて、当該顧客の他の登録情報、通信ログなどのフォーム表示画面が表示される。
【００３４】
再転送先表示エリア７２には、顧客表示エリアで選択した顧客について登録されている再転送先７３と再転送条件７４が表示されている。これらは、メニューを開いて選択入力するようになっている。再転送条件７４のメニュー項目は、ＰＣ３で設定され、再転送先７３のメニュー項目は、編集手段３３を用いて各端末で設定される。この設定により、利用者は、再転送先の追加、変更を行うことができる。
【００３５】
次に、図３及び図４を参照して、利用者Ｘの顧客ＡがＸに電話をかけた場合を例にして、システムの動作例を説明する。
【実施例１】
【００３６】
図３の第１実施例は、利用者Ｘのテーブルの発信元Ａのレコードに、「着信直後」の再転送条件で再転送先に営業Ｉの携帯電話番号が登録され、「いずれの転送も失敗した場合」の再転送条件で利用者Ｘの電話番号（転送元番号となっている電話番号）が登録されている場合の動作である（図２に例示した場合）。
ａ：顧客Ａからの利用者Ｘへの発信は、公衆電話サービス業者（例えばＮＴＴ）の外線交換網６内でセンターの交換機２に転送される。このとき、外線交換網６で、発信元番号（顧客Ａの電話番号）のほか、転送元番号（利用者Ｘの電話番号）の情報が発信呼情報に付加される。
ｂ：発信呼を取得した交換機２は、発信元番号と転送元番号を取得し、ＰＣ３へ通知する。
ｃ：ＰＣ３は、上記送信を受けて、発信元の回線に対して自動応答（ガイダンス、呼出音継続など）をするよう交換機２に指示する。
ｄ：ＰＣ３は、通知された転送元番号から利用者Ｘを特定して当該利用者のテーブル５２を発信元番号で検索する。
ｅ：利用者テーブルの検索されたレコードに、再転送先番号として、利用者Ｘの営業Ｉの携帯電話番号が、再転送条件を「着信直後」として登録されているので、ＰＣ３は、交換機２に、営業Ｉの電話への自動発信を指示する。
ｆ：交換機２は、上記指示に従って、転送されてきた着信信号を営業Ｉの携帯電話に再転送する。
図３（ａ）は、営業Ｉが電話を取った場合の動作を示している。
ｇ：交換機２は、営業Ｉが電話を取ったらその旨をＰＣ３に通知する。
ｈ：ＰＣ３は、営業Ｉへの回線が接続された通知を交換機２から受けとると、自動応答中の発信者Ａの回線と営業Ｉの回線を結合するよう交換機２に指示する。交換機２は、この指示に基づいて、発信者Ａの回線と営業Ｉの回線を接続し、会話が開始される。
【００３７】
一方、営業ＩがＰＣ３に設定された待ち時間内に電話を取らなかった場合、すなわち、待ち時間が経過しても交換機２からＰＣ３に、営業Ｉが電話を取った旨の通知が無かった場合は、図３（ｂ）に示すように、
ｉ：ＰＣ３は、再転送が失敗したと判断して、交換機２に、利用者Ｘの電話への自動発信を指示する。
ｊ：交換機２は、上記指示に従って、着信信号を利用者Ｘの電話にも再転送する。
ｋ：交換機２は、利用者Ｘの電話又は営業Ｉの電話の一方が電話を取ったら、その旨をＰＣ３に通知する。
ｌ：ＰＣ３は、上記一方の着信信号に応答があった旨の通知を交換機２から受けとると、当該一方の回線を結合し、他方の電話への発信処理を中止するよう交換機２に指示する。
ｍ：交換機２は、上記指示に従って回線の接続と発信処理の中止とを行い、顧客Ａと営業Ｉ又は利用者Ｘ相互で会話が行われる。
【実施例２】
【００３８】
図４の第２実施例は、利用者Ｘのテーブルの発信元Ａのフィールドに、再転送先として転送元であるＸの電話番号とＸの営業Ｉの電話番号とが、再転送条件を共に「着信直後」として登録されている場合の動作を示す。
ａ：実施例１のａと同じ。（顧客Ａから利用者Ｘへの電話は、発信元番号と転送元番号が付加されてセンターに転送される）
ｂ：実施例１のｂと同じ。（発信元番号と転送元番号をＰＣへ通知）
ｃ：実施例１のｃと同じ。（自動応答を指示）
ｄ：実施例１のｄと同じ。（転送元番号と発信元番号で利用者データベースを検索）
ｎ：検索されたレコードの再転送先フィールドに、利用者Ｘの電話番号と利用者Ｘの営業Ｉの電話番号が、再転送条件を共に「着信直後」として登録されているので、それに基づいて、ＰＣ３は交換機２に利用者Ｘの電話番号と営業Ｉの電話番号とを指示する。
ｏ：交換機２は、上記指示に従って、利用者Ｘの電話と営業Ｉの携帯電話とに着信信号を再転送する。
ｋ：実施例１のｋと同じ。（電話の一方の応答を通知）
ｌ：実施例１のｌと同じ。（一方の回線結合と他方の発信処理中止を指示）
ｍ：実施例１のｍと同じ。（回線接続して通話開始）
【００３９】
以上の実施例では、再転送条件として「着信直後」と「いずれの転送も失敗した場合」を例示したが、他の再転送条件として、「転送処理＃１が失敗した場合」とか、「着信から○○分経過した場合」、「通話中の回線から０発信信号を受けたとき」等を例示することができる。図２の表示では、利用者の理解しやすさを考慮して、「失敗した場合」としているが、技術的には、予め設定した時間内に応答信号（電話を取った旨の信号）を受信しなかった場合、を意味する。
【符号の説明】
【００４０】
１  センター
２  交換機
３  パソコン（サーバ）
４  インターネット
５  利用者データベース
６  外線交換網
５２  テーブル
７３  再転送先
７４  再転送条件
【図１】
2011035443.tif 000003
【図２】
2011035443.tif 000004
【図３】
2011035443.tif 000005
【図４】
2011035443.tif 000006